(57)【要約】  本発明の目的は、水分の浸入を抑制できるコイル部品を提供することである。  環状の外周面を有する巻回部を含むボビンと、前記外周面に巻き付けられてアンテナコイルを構成している導線と、前記アンテナコイルの巻回軸が延在する軸方向の一方側から前記巻回部の外周側に取り付けられることにより、前記アンテナコイルを覆うカバー部を含むケースと、を備えており、前記軸方向の他方側における前記カバー部の端部と前記外周面との間において、該外周面の少なくとも一部に沿っている第１の排水路であって、前記ボビンと前記ケースとに挟まれることによって形成された空間からなる第１の排水路が設けられていること、を特徴とするコイル部品。
2015037371.tif 000002
【特許請求の範囲】
【請求項１】
環状の外周面を有する巻回部を含むボビンと、
前記外周面に巻き付けられてアンテナコイルを構成している導線と、
前記アンテナコイルの巻回軸が延在する軸方向の一方側から前記巻回部の外周側に取り付けられることにより、前記アンテナコイルを覆うカバー部を含むケースと、
を備えており、
前記軸方向の他方側における前記カバー部の端部と前記外周面との間において、該外周面の少なくとも一部に沿っている第１の空間であって、前記ボビンと前記ケースとに挟まれることによって形成された第１の空間が設けられていること、
を特徴とするコイル部品。
【請求項２】
前記軸方向が水平面と平行となるように前記コイル部品を配置したときに、前記第１の空間は、前記外周面に囲まれた領域の重心よりも上側に位置する該外周面に沿っていること、
を特徴とする請求項１に記載のコイル部品。
【請求項３】
前記ボビンは、第１の空間形成部を含み、
前記ケースは、第２の空間形成部を含み、
前記軸方向が水平面と平行となるように前記コイル部品を配置したときに、前記巻回部及び前記カバー部よりも下方において、前記第１の空間形成部及び前記第２の空間形成部により囲まれた第４の空間が形成されており、
前記第１の空間の一端と前記第４の空間とを接続する第２の空間、及び、該第１の空間の他端と該第４の空間とを接続する第３の空間が前記ボビン及び／又は前記ケースに設けられていること、
を特徴とする請求項１又は請求項２のいずれかに記載のコイル部品。
【請求項４】
前記第１の空間形成部及び／又は前記第２の空間形成部には、前記第４の空間と外部とを連通する排水口が設けられていること、
を特徴とする請求項３に記載のコイル部品。
【請求項５】
前記第４の空間内に設けられ、前記導線の端部が巻きつけられる端子を、
更に備えており、
前記ケースが前記ボビンよりも下側に位置するように前記軸方向が水平面に対して所定角度だけ傾くように前記コイル部品が配置されたときに、前記端子は、前記排水口よりも上側に位置していること、
を特徴とする請求項４に記載のコイル部品。
【請求項６】
前記第１の空間は、半円状をなしており、
前記第２の空間及び前記第３の空間はそれぞれ、前記軸方向が水平面と平行となるように前記コイル部品が配置されたときに、前記第１の空間の一端及び他端から下方に向かって延在していること、
を特徴とする請求項３ないし請求項５のいずれかに記載のコイル部品。
【請求項７】
前記第１の空間の断面積は、前記軸方向の他方側から平面視したときに、前記ボビンと前記ケースとの接合部において該第１の空間に沿っている部分に形成されている隙間の面積の半分よりも大きいこと、
を特徴とする請求項６に記載のコイル部品。
【請求項８】
前記第２の空間の断面積は、前記軸方向の他方側から平面視したときに、前記ボビンと前記ケースとの接合部において該第２の空間に沿っている部分に形成されている隙間の面積よりも大きいこと、
を特徴とする請求項６又は請求項７のいずれかに記載のコイル部品。
【請求項９】
前記第１の空間は、前記ボビンに形成された溝が前記ケースに覆われることにより形成された空間であること、
を特徴とする請求項１ないし請求項８のいずれかに記載のコイル部品。
【請求項１０】
前記カバー部は、前記軸方向の一方側から平面視したときに、前記アンテナコイルと重なっていること、
を特徴とする請求項１ないし請求項９のいずれかに記載のコイル部品。
【発明の詳細な説明】
【技術分野】
【０００１】
本発明は、コイル部品に関し、より特定的には、導線により構成されたコイルを備えるコイル部品に関する。
【背景技術】
【０００２】
従来のコイル部品に関する発明としては、例えば、特許文献１に記載のコイルアンテナが知られている。該コイルアンテナは、ボビン、モールド成形部及びメインコイルを備えている。メインコイルは、ボビンの周囲に巻き付けられている。モールド成形部は、メインコイルが外部に露出しないように、メインコイルを覆っている。【０００３】
ところで、特許文献１に記載のコイルアンテナでは、モールド成形部とボビンとの間には僅かな隙間が存在する。そのため、このような隙間を伝って水分がコイルアンテナ内に浸入し、メインコイルに到達するおそれがある。その結果、メインコイルに錆びや腐食が発生するおそれがある。
【先行技術文献】
【特許文献】
【０００４】
【特許文献１】特開平９−２７７０８号公報
【発明の概要】
【発明が解決しようとする課題】
【０００５】
そこで、本発明の目的は、水分の浸入を抑制できるコイル部品を提供することである。
【課題を解決するための手段】
【０００６】
本発明の一形態に係るコイル部品は、環状の外周面を有する巻回部を含むボビンと、前記外周面に巻き付けられてアンテナコイルを構成している導線と、前記アンテナコイルの巻回軸が延在する軸方向の一方側から前記巻回部の外周側に取り付けられることにより、前記アンテナコイルを覆うカバー部を含むケースと、を備えており、前記軸方向の他方側における前記カバー部の端部と前記外周面との間において、該外周面の少なくとも一部に沿っている第１の空間であって、前記ボビンと前記ケースとに挟まれることによって形成された第１の空間が設けられていること、を特徴とする。
【発明の効果】
【０００７】
本発明によれば、水分の浸入を抑制できる。
【図面の簡単な説明】
【０００８】
【図１】コイル部品１０の外観斜視図である。
【図２】コイル部品１０の外観斜視図である。
【図３】コイル部品１０のボビン１２及び巻線１５の外観斜視図である。
【図４】コイル部品１０のケース１４の外観斜視図である。
【図５Ａ】コイル部品１０の断面を示した斜視図である。
【図５Ｂ】コイル部品１０からボビン１２を取り除いた外観斜視図である。
【図６】コイル部品１０を平面視した図である。
【図７】図６のコイル部品１０のＡ−Ａにおける断面構造図である。
【図８】図６のコイル部品１０のＢ−Ｂにおける断面構造図である。
【図９】図６のコイル部品１０のＣ−Ｃにおける断面構造図である。
【図１０】図６のコイル部品１０のＤ−Ｄにおける断面構造図である。
【図１１】図６のコイル部品１０のＥ−Ｅにおける断面構造図である。
【図１２】コイル部品１０を後ろ側から平面視した図である。
【図１３】コイル部品１０が傾いた状態における断面構造図である。
【発明を実施するための形態】
【０００９】
以下に、本発明の一実施形態に係るコイル部品について図面を参照しながら説明する。図１及び図２は、コイル部品１０の外観斜視図である。図３は、コイル部品１０のボビン１２及び巻線１５の外観斜視図である。図４は、コイル部品１０のケース１４の外観斜視図である。図５Ａは、コイル部品１０の断面を示した斜視図である。図５Ｂは、コイル部品１０からボビン１２を取り除いた外観斜視図である。図６は、コイル部品１０を平面視した図である。図７は、図６のコイル部品１０のＡ−Ａにおける断面構造図である。図８は、図６のコイル部品１０のＢ−Ｂにおける断面構造図である。図９は、図６のコイル部品１０のＣ−Ｃにおける断面構造図である。図１０は、図６のコイル部品１０のＤ−Ｄにおける断面構造図である。図１１は、図６のコイル部品１０のＥ−Ｅにおける断面構造図である。図１２は、コイル部品１０を後ろ側から平面視した図である。図１３は、コイル部品１０が傾いた状態における断面構造図である。以下では、図１の環状のボビン１２の軸方向と直交する所定の方向である上下方向を単に上下方向と定義する。また、上側から平面視したときに、アンテナコイルAntの軸方向であるコイル部品１０の長手方向を前後方向と定義し、上下方向と前後方向とに直交する方向であるコイル部品１０の短手方向を左右方向と定義する。
【００１０】
コイル部品１０は、例えば、車両のキーレスエントリシステムやイモビライザシステムで使用されるアンテナ装置であり、図１ないし図５Ａに示すように、ボビン１２、ケース１４、巻線１５、基板２４及びピン２６，２８を備えている。コイル部品１０は、図１に示すように、上下方向が鉛直方向一致した状態で自動車に取り付けられてもよいし、上下方向が鉛直方向に対して傾いた状態で自動車に取り付けられてもよい。
【００１１】
ボビン１２は、図３に示すように、前側からボビン１２を平面視したときに、長方形と半円とが組み合わされた形状をなしている。ボビン１２は、上部１６及び下部１８を含んでおり、例えば、樹脂により作製されている。ボビン１２は、左側から平面視したときに、略長方形の上部１６と略長方形の下部１８とが組み合わされてＬ字型の形状をなしている。
【００１２】
ボビン１２の上部１６は、ベース１６ａ、側面１６ｂ及び巻回部１６ｃを有している。ベース１６ａは、前側から平面視したときに、長方形と半円とが組み合わされた形状をなしている。具体的には、ベース１６ａは、長方形の上側の辺に対して上側に突出する半円が取り付けられた形状をなしている。
【００１３】
側面１６ｂは、ベース１６ａの外縁に沿って設けられている。より詳細には、側面１６ｂは、ベース１６ａの上半分を占める半円の外縁から後方に向かって折り返されていると共に、ベース１６ａの下半分を占める長方形の左右の各辺から後方に向かって折り返されている。
【００１４】
巻回部１６ｃは、ベース１６ａの前側の面から前側に向かって突出する短い円筒状をなしている。巻回部１６ｃの中心は、ベース１６ａの上半分を占める半円の中心と一致している。ただし、巻回部１６ｃの半径は、ベース１６ａの上半分を占める半円の半径よりも小さい。更に、ベース１６ａ及び巻回部１６ｃを前後方向に貫通するように、円形の孔が設けられている。
【００１５】
また、巻回部１６ｃは、前記の通り、円筒状をなしているので、図５Ａに示すように、円環状をなす外周面３０を有している。巻回部１６ｃの外周面３０には、図３に示すように、後述する巻線１５が巻き付けられる。また、巻回部１６ｃの前側の先端は、図３に示すように、巻線１５が脱落することを防止するために、外周側に向かって広がっている。
【００１６】
ボビン１２の下部１８は、ボビン１２の上部１６の下端から後方に向けて延在しており、後述する排水空間Ｓｐを形成する。より詳細には、下部１８は、図２及び図３に示すように、上面１８ａ、側面１８ｂ，１８ｃ、背面１８ｄ及びコネクタ部１８ｅを有している。上面１８ａは、上側から平面視したときに、長方形状をなしている。側面１８ｂは、上面１８ａの左側の辺から下方に向かって折り返されている。側面１８ｃは、上面１８ａの右側の辺から下方に向かって折り返されている。背面１８ｄは、上面１８ａの後ろ側の辺から下方に向かって折り返されている。コネクタ部１８ｅは、側面１８ｂから左側に向かって伸びる筒状部材である。コネクタ部１８ｅには、外部からコネクタが挿入される。
【００１７】
巻線１５は、銅線の周囲にポリウレタンが被覆された導線により構成されており、巻回部１６ｃの外周面３０に巻き付けられている。このように、巻線１５が巻回部１６ｃの外周面３０に巻きつけられることにより、アンテナコイルＡｎｔが構成されている。以下では、巻線１５において、巻回部１６ｃに巻き付けられている部分をアンテナコイルＡｎｔと呼ぶ。アンテナコイルＡｎｔの巻回軸は、前後方向に延在している。すなわち、巻回軸は、水平面と平行である。また、巻線１５の両端は、巻回部１６ｃの下方に引き出されている。
【００１８】
ケース１４は、図４に示すように、前側から平面視したときに、長方形と半円とが組み合わされた形状をなし、左側から平面視したときにＬ字型の形状をなしている。ケース１４は、上部２０及び下部２２を含んでおり、例えば、樹脂により作製されている。
【００１９】
ケース１４の上部２０は、ベース２０ａ、側面２０ｂ及び円筒部２０ｃを有している。ベース２０ａは、前側から平面視したときに、長方形と半円とが組み合わされた形状をなしており、ベース１６ａと略同じ形状を有している。具体的には、ベース２０ａは、長方形の上側の辺に対して上側に突出する半円が取り付けられた形状をなしている。
【００２０】
側面２０ｂは、ベース２０ａの外縁に沿って設けられている。より詳細には、側面２０ｂは、ベース２０ａの上半分を占める半円の外縁から後方に向かって折り返されていると共に、ベース２０ａの下半分を占める長方形の左右の各辺から後方に向かって折り返されている。
【００２１】
円筒部２０ｃは、ベース２０ａの前側の面から前側に向かって突出する短い円筒状をなしている。ただし、円筒部２０ｃの前側の先端は、内周側に向かって折り曲げられている。円筒部２０ｃの中心は、ベース２０ａの上半分を占める半円の中心と一致している。ただし、円筒部２０ｃの半径は、ベース２０ａの上半分を占める半円の半径よりも小さい。更に、ベース２０ａ及び円筒部２０ｃを前後方向に貫通するように、円形の孔が設けられている。
【００２２】
ケース１４の下部２２は、ケース１４の上部２０の下端から後方に向けて延在しており、後述する排水空間Ｓｐを下部１８と共に形成する。より詳細には、下部２２は、図２及び図４に示すように、底面２２ａ及び側面２２ｂ，２２ｃを有している。底面２２ａは、上側から平面視したときに、長方形状をなしており、後ろ側にいくにしたがって下がるように１度程度傾斜している。側面２２ｂは、底面２２ａの左側の辺から上方に向かって折り返されている。側面２２ｃは、底面２２ａの右側の辺から下方に向かって折り返されている。
【００２３】
以上のように構成されたケース１４の上部２０は、図１に示すように、アンテナコイルＡｎｔの巻回軸が延在する軸方向の一方側（すなわち、前側）から巻回部１６ｃの外周側に取り付けられることにより、アンテナコイルＡｎｔを覆うケース部として機能している。
【００２４】
より詳細には、円筒部２０ｃは、図５Ａに示すように、巻回部１６ｃを前側から覆っている。これにより、円筒部２０ｃは、前側から平面視したときに、アンテナコイルＡｎｔと重なっている。更に、側面２０ｂ及び円筒部２０ｃは、巻回部１６ｃの外周面３０に巻き付けられたアンテナコイルＡｎｔを外周側から覆っている。また、側面２０ｂは、側面１６ｂを外周側から覆っている。これにより、側面２０ｂの内周面が、図５Ａに示すように、側面１６ｂの外周面と接触している。また、側面１６ｂは、側面２０ｂに対して後ろ側にはみ出している。
【００２５】
また、ケース１４がボビン１２に取り付けられると、図５Ａに示すように、ボビン１２の下部１８，ケース１４の２２により直方体状の排水空間Ｓｐが形成される。より詳細には、ボビン１２の下部１８がケース１４の下部２２の上側に重なる。この際、ケース１４の側面２２ｂに対してボビン１２の側面１８ｂが左側から重なり、ケース１４の側面２２ｃに対してボビン１２の側面１８ｃが右側から重なる。これにより、上面１８ａ、側面１８ｂ，１８ｃ，２２ｂ，２２ｃ、背面１８ｄ、底面２２ａ及びベース１６ａ，２０ａにより囲まれた直方体状の排水空間Ｓｐが、ボビン１２の上部１６，ケース１４の上部２０の下方に形成されるようになる。
【００２６】
基板２４は、図５Ａに示すように、長方形状をなしており、排水空間Ｓｐ内に設けられている。より詳細には、基板２４は、上面１８ａの下側の主面に取り付けられている。基板２４は、アンテナコイルＡｎｔが受信した高周波信号を処理する信号処理回路を備えている。
【００２７】
ピン２６，２８は、図５Ｂに示すように、基板２４に取り付けられており、コ字型をなす端子である。より詳細には、ピン２６，２８は、基板２４の上面から上側に向かって延在し、更に、前側に向かって折り曲げられ、更に、下側に向かって折り曲げられている。ピン２６，２８の先端は、基板２４よりも下側に位置している。また、ピン２６，２８にはそれぞれ、巻線１５の両端が巻き付けられている。巻線１５の両端は、はんだによりピン２６，２８に対して固定されている。
【００２８】
ところで、コイル部品１０は、水分の浸入によりアンテナコイルＡｎｔに腐食又は錆が発生することを抑制するための構成を有している。コイル部品１０では、前記の通り、側面１６ｂの内周面と側面２０ｂの外周面とは接触している。しかしながら、図５Ａに示すように、これらの間には僅かな隙間Ｇが存在する。そのため、コイル部品１０に対して後ろ側から水がかかった場合には、隙間Ｇを伝って、アンテナコイルＡｎｔに水分が浸入するおそれがある。
【００２９】
そこで、コイル部品１０では、アンテナコイルＡｎｔの巻回軸が延在している軸方向の他方側（すなわち、後ろ側）における側面２０ｂの端部ｔ（以下、後端ｔ）と巻回部１６ｃの外周面３０との間において、外周面３０の少なくとも一部に沿っている排水路Ｒ１であって、ボビン１２の側面１６ｂとケース１４の側面２０ｂとに挟まれることによって形成された空間からなる排水路Ｒ１が設けられている。より詳細には、図５Ａないし図９に示すように、排水路Ｒ１は、上側に突出する半円状をなしており、巻回部１６ｃの外周面３０に囲まれた領域Ｒ（図９参照）の重心よりも上側に位置している。本実施形態では、排水路Ｒ１は、円形状をなす領域Ｒの中心よりも上側において、外周面３０に沿って設けられている。重心は領域Rが均一な物体として求められる、あるいは重心は図９の領域Rの面の図心として求めることができる。
【００３０】
排水路Ｒ１は、図５Ａ及び図７に示すように、ボビン１２の側面１６ｂの外周面が内周側に向かって窪むことによって形成された溝３２ａがケース１４の側面２０ｂの内周面に覆われることにより形成された空間である。
【００３１】
更に、排水路Ｒ１の両端には、排水路Ｒ２，Ｒ３が接続されている。より詳細には、排水路Ｒ２は、排水路Ｒ１の左端から下方に向かって延在しており、排水路Ｒ１と排水空間Ｓｐとを接続している。排水路Ｒ３は、排水路Ｒ１の右端から下方に向かって延在しており、排水路Ｒ１と排水空間Ｓｐとを接続している。
【００３２】
排水路Ｒ２，Ｒ３はそれぞれ、図３、図８及び図９に示すように、ボビン１２の側面１６ｂの外周面が窪むことによって形成された溝３２ｂ，３２ｃがケース１４の側面２０ｂの内周面に覆われることにより形成された空間である。
【００３３】
ここで、排水路Ｒ１の断面積は、コイル部品１０を後ろ側から平面視したときに、側面１６ｂと側面２０ｂとの接合部において排水路Ｒ１に沿っている部分Ｄ１（図２参照）に形成されている隙間Ｇの面積の半分よりも大きい。側面１６ｂと側面２０ｂとの接合部とは、側面２０ｂの後端ｔと側面１６ｂとの接触部分である。具体的には、部分Ｄ１には、０．０５ｍｍ程度の隙間Ｇが存在している。すなわち、部分Ｄ１の長さと隙間Ｇの大きさとを掛けて得られる面積の領域から水が排水路Ｒ１に対して浸入し得る。排水路Ｒ１の左半分に浸入した水は、排水路Ｒ２に流れていき、排水路Ｒ１の右半分に浸入した水は、排水路Ｒ３に流れていく。そこで、排水路Ｒ１の延在方向に直交する断面の面積（以下、排水路Ｒ１の断面積）は、部分Ｄ１に形成されている隙間Ｇの面積の半分よりも大きい。これにより、排水路Ｒ１の右半分に浸入した水が、スムーズに排水路Ｒ１から排水路Ｒ２に流れ、かつ、排水路Ｒ１の左半分に浸入した水が、スムーズに排水路Ｒ１から排水路Ｒ３に流れるようになる。
【００３４】
また、排水路Ｒ２の断面積は、コイル部品１０を後ろ側から平面視したときに、側面１６ｂと側面２０ｂとの接合部において排水路Ｒ２に沿っている部分Ｄ２（図２参照）に形成されている隙間Ｇの面積よりも大きい。具体的には、部分Ｄ２（図２参照）には、０．１ｍｍ程度の隙間Ｇが存在している。すなわち、部分Ｄ２の長さと隙間Ｇの大きさとを掛けて得られる面積の領域から水が排水路Ｒ２に対して浸入し得る。そこで、排水路Ｒ２の延在方向に直交する断面の面積（以下、排水路Ｒ２の断面積）は、部分Ｄ２に形成されている隙間Ｇの面積よりも大きい。これにより、排水路Ｒ２に浸入した水が、スムーズに排水路Ｒ２から排水空間Ｓｐに流れるようになる。
【００３５】
また、排水路Ｒ３の断面積は、コイル部品１０を後ろ側から平面視したときに、側面１６ｂと側面２０ｂとの接合部において排水路Ｒ３に沿っている部分Ｄ３（図示せず）に形成されている隙間Ｇの面積よりも大きい。具体的には、部分Ｄ３には、０．１ｍｍ程度の隙間Ｇが存在している。すなわち、部分Ｄ３の長さと隙間Ｇの大きさとを掛けて得られる面積の領域から水が排水路Ｒ３に対して浸入し得る。そこで、排水路Ｒ３の延在方向に直交する断面の面積（以下、排水路Ｒ３の断面積）は、部分Ｄ３に形成されている隙間Ｇの面積よりも大きい。これにより、排水路Ｒ３に浸入した水が、スムーズに排水路Ｒ３から排水空間Ｓｐに流れるようになる。
【００３６】
また、排水空間Ｓｐに流入した水は、ボビン１２の下部１８，ケース１４の下部２２に設けられた排水口Ｏｐ１〜Ｏｐ６を介して、コイル部品１０外に排出される。具体的には、排水口Ｏｐ１，Ｏｐ２は、図１０に示すように、底面２２ａの前後方向の中央よりも前側に設けられた孔であり、コイル部品１０の内部に設けられる排水空間Ｓｐとコイル部品１０の外部とを連通している。排水口Ｏｐ１と排水口Ｏｐ２とは、左右方向に並んでいる。
【００３７】
ここで、コイル部品１０は、上下方向が鉛直方向に対して傾いた状態で使用される場合がある。具体的には、図１３に示すように、ケース１４がボビン１２よりも下側に位置するようにアンテナコイルＡｎｔの巻回軸が延在する軸方向が水平面に対して所定角度（本実施形態では、３０度）だけ傾くようにコイル部品１０が配置される場合がある。この場合に、ピン２６，２８が排水空間Ｓｐ内に溜まった水Ｗに接触しないようにすることが望ましい。
【００３８】
そこで、コイル部品１０では、図１３のようにコイル部品１０が傾いて配置された場合に、ピン２６，２８の下端は、排水口Ｏｐ１，Ｏｐ２よりも上側に位置している。これにより、ピン２６，２８が水Ｗに触れることが抑制される。
【００３９】
排水口Ｏｐ３，Ｏｐ４は、図１１に示すように、底面２２ａの前後方向の中央よりも後ろ側に設けられた孔であり、排水空間Ｓｐとコイル部品１０の外部とを連通している。排水口Ｏｐ３と排水口Ｏｐ４とは、左右方向に並んでいる。
【００４０】
排水口Ｏｐ５，Ｏｐ６は、図１２に示すように、背面１８ｄの下端と底面２２ａとの間に設けられた孔であり、排水空間Ｓｐとコイル部品１０の外部とを連通している。排水口Ｏｐ５と排水口Ｏｐ６とは、左右方向に並んでいる。
【００４１】
以上のようなコイル部品１０では、図５Ｂの矢印に示すように、排水路Ｒ２，Ｒ３から流出する水の大半は、排水空間Ｓｐへと流入する。そして、水は、排水口Ｏｐ１〜Ｏｐ６から排水空間Ｓｐ外に流出する。ただし、排水路Ｒ２から流出する水の一部は、側面２２ｂの左側の主面を伝ってコイル部品１０の外部へと流出する。また、排水路Ｒ３から流出する水の一部は、側面２２ｃの右側の主面を伝ってコイル部品１０の外部へと流出する。
【００４２】
以上のように構成されたコイル部品１０は、ボビン１２の上部１６，ケース１４の上部２０に設けられた孔に自動車のキーが挿入される。キーには、高周波信号発生器が設けられており、高周波信号が放射される。アンテナコイルＡｎｔは、高周波信号を受信する。これにより、基板２４は、アンテナコイルＡｎｔを介して高周波信号を取得する。
【００４３】
（効果）
以上のように構成されたコイル部品１０によれば、水分の浸入を抑制できる。より詳細には、ケース１４の上部２０は、前側から巻回部１６ｃの外周側に取り付けられることにより、アンテナコイルＡｎｔを覆っている。この場合、側面２０ｂの後端ｔと側面１６ｂとの隙間Ｇから水が浸入するおそれがある。
【００４４】
そこで、コイル部品１０では、ケース１４の側面２０ｂの後端ｔと巻回部１６ｃの外周面３０との間において、外周面３０の少なくとも一部に沿っている排水路Ｒ１であって、ボビン１２とケース１４とに挟まれることによって形成された空間からなる排水路Ｒ１（第1の空間の一例）が設けられている。これにより、側面２０ｂの後端ｔと側面１６ｂとの隙間Ｇから浸入した水は、アンテナコイルＡｎｔに到達する前に、排水路Ｒ１によって進行が遮られる。その結果、アンテナコイルＡｎｔまで水が到達することが抑制される。
【００４５】
また、排水路Ｒ１は、上側に突出する半円形状をなし、排水路Ｒ２（第2の空間の一例）及び排水路Ｒ３（第3の空間の一例）はそれぞれ、排水路Ｒ１の両端から下方に向かって延在している。そして、排水路Ｒ２，Ｒ３は、排水空間Ｓｐ（第4の空間の一例）に接続されている。これにより、水は、重力によって、排水路Ｒ１から排水路Ｒ２，Ｒ３を経由して、排水空間Ｓｐに到達するようになる。排水空間Ｓｐは、ボビン１２に形成された第１の空間形成部と、ケース１４に形成された第２の空間形成部とを共有する空間により形成されている。
【００４６】
また、コイル部品１０では、水が排水路Ｒ１からアンテナコイルＡｎｔへ流れることが抑制される。より詳細には、排水路Ｒ１の断面積は、コイル部品１０を後ろ側から平面視したときに、側面１６ｂと側面２０ｂとの接合部において排水路Ｒ１に沿っている部分Ｄ１（図２参照）に形成されている隙間Ｇの面積の半分よりも大きい。これにより、排水路Ｒ１から単位時間当たりに排出される水の量の方が、隙間Ｇから排水路Ｒ１に単位時間当たりに流れ込む水の量よりも多くなる。そのため、排水路Ｒ１から水があふれることが抑制され、アンテナコイルＡｎｔに水が浸入することが抑制される。
【００４７】
また、コイル部品１０では、水が排水路Ｒ２，Ｒ３から排水路Ｒ１へと水が逆流することが抑制される。より詳細には、排水路Ｒ２，Ｒ３の断面積はそれぞれ、コイル部品１０を後ろ側から平面視したときに、側面１６ｂと側面２０ｂとの接合部において排水路Ｒ２，Ｒ３に沿っている部分Ｄ２，Ｄ３（図２参照）に形成されている隙間Ｇの面積よりも大きい。これにより、排水路Ｒ２，Ｒ３から単位時間当たりに排出される水の量の方が、隙間Ｇから排水路Ｒ２，Ｒ３に単位時間当たりに流れ込む水の量よりも多くなる。そのため、排水路Ｒ２，Ｒ３から水があふれることが抑制され、水が排水路Ｒ１に逆流することが抑制される。
【００４８】
また、コイル部品１０では、円筒部２０ｃの前側の先端は、前側から平面視したときに、アンテナコイルＡｎｔと重なるように、内周側に折り返されている。これにより、巻回部１６ｃの前側が円筒部２０ｃにより覆われている。その結果、コイル部品１０の前側から水がかかったとしても、アンテナコイルＡｎｔまで水が到達することが抑制される。
【００４９】
また、コイル部品１０では、底面２２ａは、長方形状をなしており、後ろ側に行くにしたがって下がるように１度程度傾斜している。これにより、排水空間Ｓｐ内の水が、底面２２ａ上を後方に向かって流れて、排水口Ｏｐ５，Ｏｐ６から排出されるようになる。
【００５０】
また、コイル部品１０では、基板２４は、上面１８ａの下側の主面に取り付けられている。これにより、基板２４に水がかかることが抑制される。
【００５１】
（その他の実施形態）
本発明に係るコイル部品は、前記実施形態に係るコイル部品１０に限らず、その要旨の範囲内において変更可能である。
【００５２】
なお、巻回部１６ｃは、円筒形状ではなく、角柱状をなしていていもよい。
【００５３】
なお、排水路Ｒ２，Ｒ３は、ボビン１２及びケース１４に挟まれて形成されているが、ボビン１２にのみ設けられていてもよいし、ケース１４にのみ設けられていてもよい。
【００５４】
なお、下部１８が下部２２の上側に設けられているが、下部２２が下部１８の上側に設けられていてもよい。この場合には、下部１８に排水口Ｏｐ１〜Ｏｐ４が設けられる。
【産業上の利用可能性】
【００５５】
以上のように、本発明は、コイル部品に有用であり、特に、水が浸入することを抑制できる点において優れている。
【符号の説明】
【００５６】
Ａｎｔ  アンテナコイル
Ｏｐ１〜Ｏｐ６  排水口
Ｒ１〜Ｒ３  排水路
Ｓｐ  排水空間
ｔ 端部
１０  コイル部品
１２  ボビン
１４  ケース
１５  巻線
１６，２０  上部
１６ａ，２０ａ  ベース
１６ｂ，２０ｂ  側面
１６ｃ  巻回部
１８，２２  下部
２０ｃ  円筒部
２４  基板
２６，２８  ピン
３０  外周面
３２ａ〜３２ｃ  溝
Ｄ１〜Ｄ３  部分
【図１】
2015037371.tif 000003
【図２】
2015037371.tif 000004
【図３】
2015037371.tif 000005
【図４】
2015037371.tif 000006
【図５Ａ】
2015037371.tif 000007
【図５Ｂ】
2015037371.tif 000008
【図６】
2015037371.tif 000009
【図７】
2015037371.tif 000010
【図８】
2015037371.tif 000011
【図９】
2015037371.tif 000012
【図１０】
2015037371.tif 000013
【図１１】
2015037371.tif 000014
【図１２】
2015037371.tif 000015
【図１３】
2015037371.tif 000016
【手続補正書】
【提出日】平成28年12月26日(2016.12.26)
【手続補正１】
【補正対象書類名】特許請求の範囲
【補正対象項目名】全文
【補正方法】変更
【補正の内容】
【特許請求の範囲】
【請求項１】
環状の外周面を有する巻回部を含むボビンと、
前記外周面に巻き付けられてアンテナコイルを構成している導線と、
前記アンテナコイルの巻回軸が延在する軸方向の一方側から前記巻回部の外周側に取り付けられることにより、前記アンテナコイルを覆うカバー部を少なくとも一部として含むケースと、
を備えており、
前記ケースと前記カバー部とは一体に構成され、
前記ボビンと前記カバー部とは、前記アンテナコイルを収容する収容空間を形成しており、
前記収容空間と前記軸方向の他方側における前記カバー部の端部との間には前記ボビンと前記カバー部との接合部が存在し、
前記軸方向の他方側における前記カバー部の端部よりも前記軸方向の一方側であって前記収容空間よりも前記軸方向の他方側において、前記外周面の少なくとも一部に沿っている第１の空間であって、前記ボビンと前記カバー部とに挟まれることによって形成された第１の空間が設けられており、
前記軸方向が水平面と平行となるようにコイル部品を配置したときに、前記第１の空間は、前記軸方向から見たときに、前記外周面に囲まれた領域の上半分を形成する該外周面に沿っていること、
を特徴とするコイル部品。
【請求項２】
前記外周面に囲まれた領域は、前記軸方向から見たときに、円形状をなしており、
前記軸方向が水平面と平行となるように前記コイル部品を配置したときに、前記第１の空間は、前記軸方向から見たときに、前記外周面に囲まれた領域の中心よりも上側に位置する該外周面に沿っていること、
を特徴とする請求項１に記載のコイル部品。
【請求項３】
前記ボビンは、前記ボビンと一体に構成される第１の空間形成部を少なくとも一部として含み、
前記ケースは、前記ケースと一体に構成される第２の空間形成部を少なくとも一部として含み、
前記軸方向が水平面と平行となるように前記コイル部品を配置したときに、前記巻回部よりも下方において、前記第１の空間形成部及び前記第２の空間形成部により囲まれた第４の空間が形成されており、
前記第１の空間の一端から下方に向かって延在して前記第４の空間に接続される第２の空間、及び、該第１の空間の他端から下方に向かって延在して該第４の空間に接続される第３の空間が前記ボビン及び／又は前記ケースにより形成されていること、
を特徴とする請求項１又は請求項２のいずれかに記載のコイル部品。
【請求項４】
前記第１の空間形成部及び／又は前記第２の空間形成部には、前記第４の空間と外部とを連通する排水口が設けられていること、
を特徴とする請求項３に記載のコイル部品。
【請求項５】
前記第４の空間内に設けられ、前記導線の端部が巻きつけられる端子を、
更に備えており、
前記ケースが前記ボビンよりも下側に位置するように前記軸方向が水平面に対して所定角度だけ傾くように前記コイル部品が配置されたときに、前記端子は、前記排水口よりも上側に位置していること、
を特徴とする請求項４に記載のコイル部品。
【請求項６】
前記第１の空間は、半円状をなしており、
前記第２の空間及び前記第３の空間はそれぞれ、前記軸方向が水平面と平行となるように前記コイル部品が配置されたときに、前記第１の空間の一端及び他端から下方に向かって延在していること、
を特徴とする請求項３ないし請求項５のいずれかに記載のコイル部品。
【請求項７】
前記第１の空間の断面積は、前記軸方向の他方側から平面視したときに、前記ボビンと前記ケースとの接合部において該第１の空間に沿っている部分に形成されている隙間の面積の半分よりも大きいこと、
を特徴とする請求項６に記載のコイル部品。
【請求項８】
前記第２の空間の断面積は、前記軸方向の他方側から平面視したときに、前記ボビンと前記ケースとの接合部において該第２の空間に沿っている部分に形成されている隙間の面積よりも大きいこと、
を特徴とする請求項６又は請求項７のいずれかに記載のコイル部品。
【請求項９】
前記第１の空間は、前記ボビンに形成された溝が前記ケースに覆われることにより形成された空間であること、
を特徴とする請求項１ないし請求項８のいずれかに記載のコイル部品。
【請求項１０】
前記カバー部は、前記軸方向の一方側から平面視したときに、前記アンテナコイルと重なっていること、
を特徴とする請求項１ないし請求項９のいずれかに記載のコイル部品。
【手続補正２】
【補正対象書類名】明細書
【補正対象項目名】０００６
【補正方法】変更
【補正の内容】
【０００６】
本発明の一形態に係るコイル部品は、環状の外周面を有する巻回部を含むボビンと、前記外周面に巻き付けられてアンテナコイルを構成している導線と、前記アンテナコイルの巻回軸が延在する軸方向の一方側から前記巻回部の外周側に取り付けられることにより、前記アンテナコイルを覆うカバー部を少なくとも一部として含むケースと、を備えており、前記ケースと前記カバー部とは一体に構成され、前記ボビンと前記カバー部とは、前記アンテナコイルを収容する収容空間を形成しており、前記収容空間と前記軸方向の他方側における前記カバー部の端部との間には前記ボビンと前記カバー部との接合部が存在し、前記軸方向の他方側における前記カバー部の端部よりも前記軸方向の一方側であって前記収容空間よりも前記軸方向の他方側において、前記外周面の少なくとも一部に沿っている第１の空間であって、前記ボビンと前記カバー部とに挟まれることによって形成された第１の空間が設けられており、前記軸方向が水平面と平行となるようにコイル部品を配置したときに、前記第１の空間は、前記軸方向から見たときに、前記外周面に囲まれた領域の上半分を形成する該外周面に沿っていること、を特徴とする。
【国際調査報告】
2015037371.tif 000017
2015037371.tif 000018